(57)【要約】【課題】乾電池及び充電池の電池残量を正しく表示する電池チェッカーを提供する。【解決手段】２個の電池残量表示用ライト６，６と、被測定用の電池Ｂを嵌め込んでプラス・マイナスの電極に接触可能な陽極受３・陰極受４と、乾電池充電池切換スイッチ５とを、付設したチェッカー箱体１を備え、ライト６，６による電池残量表示構造として、電池Ｂの検出電圧に応じてライト６，６が２個点灯又は１個点灯又は消灯となって、電池残量を３段階で視覚的に表示するように構成し、さらに、乾電池Ｂ１の２個点灯と１個点灯との表示切換設定電圧を、充電池Ｂ２の２個点灯と１個点灯との表示切換設定電圧よりも高電圧に設定し、切換スイッチ５の操作によって、表示切換設定電圧のいずれか一方に切換可能としている。【選択図】図１
0003166875.tif 000002
【実用新案登録請求の範囲】
【請求項１】
２個の電池残量表示用ライト（６）（６）と、被測定用の電池（Ｂ）を嵌め込んでプラス・マイナスの電極に接触可能な陽極受（３）・陰極受（４）と、乾電池充電池切換スイッチ（５）とを、付設したチェッカー箱体（１）を備え、
上記ライト（６）（６）による電池残量表示構造として、電池（Ｂ）の検出電圧（Ｅ）に応じて上記ライト（６）（６）が２個点灯又は１個点灯又は消灯となって、電池残量を３段階で視覚的に表示するように構成し、さらに、乾電池（Ｂ１）の２個点灯と１個点灯との表示切換設定電圧（Ｖ１）を、充電池（Ｂ２）の２個点灯と１個点灯との表示切換設定電圧（Ｖ２）よりも高電圧に設定し、上記切換スイッチ（５）の操作によって、上記表示切換設定電圧（Ｖ１）（Ｖ２）のいずれか一方に切換可能としたことを特徴とする電池チェッカー。
【考案の詳細な説明】
【技術分野】
【０００１】
本考案は、電池チェッカーに関する。
【背景技術】
【０００２】
従来、本考案者は、電池の電極間電圧を測定し、その検出電圧に応じてＬＥＤライトを点灯又は消灯させることにより電池残量を視覚的に表示する電池チェッカーを提案している（例えば、特許文献１参照）。
【先行技術文献】
【特許文献】
【０００３】
【特許文献１】登録実用新案第３１５７５６３号公報
【考案の概要】
【考案が解決しようとする課題】
【０００４】
しかし、従来の電池チェッカーは、（使い捨ての）乾電池の電圧（電池残量）を測定することを想定して表示切換電圧が設定されていた。従って、乾電池とは異なる放電特性を有する充電池の電圧（電池残量）を測定する場合には、充電池の放電特性に対応する表示切換電圧に設定した充電池専用の電池チェッカーを用いなければ、充電池の電池残量を正しく表示できないという欠点があった。
【０００５】
一般的に、乾電池が有する放電特性は、充電池の放電特性とは、互いに異なっている。時間ｔの経過に伴う検出電圧Ｅの下降を示した放電特性グラフ図（図６参照）に示すように、乾電池と充電池は、放電電圧が相違し、つまり、従来の電池チェッカーでは、乾電池用の電気回路と充電池用の電気回路を有する２種類の装置を用意しなければ、乾電池及び充電池の消耗具合を適正に表示することができなかった。
【０００６】
そこで、本考案は、乾電池及び充電池の電池残量を正しく表示する電池チェッカーを提供することを目的とする。
【課題を解決するための手段】
【０００７】
本考案に係る電池チェッカーは、２個の電池残量表示用ライトと、被測定用の電池を嵌め込んでプラス・マイナスの電極に接触可能な陽極受・陰極受と、乾電池充電池切換スイッチとを、付設したチェッカー箱体を備え、上記ライトによる電池残量表示構造として、電池の検出電圧に応じて上記ライトが２個点灯又は１個点灯又は消灯となって、電池残量を３段階で視覚的に表示するように構成し、さらに、乾電池の２個点灯と１個点灯との表示切換設定電圧を、充電池の２個点灯と１個点灯との表示切換設定電圧よりも高電圧に設定し、上記切換スイッチの操作によって、上記表示切換設定電圧のいずれか一方に切換可能としたものである。
【考案の効果】
【０００８】
本考案の電池チェッカーによれば、切換スイッチの操作により、乾電池と充電池のどちらの電池残量の測定にも対応できる。よって、乾電池及び充電池の電池残量の測定に、装置を共用でき、便利であると共に、コストを低減できる。
【図面の簡単な説明】
【０００９】
【図１】本考案の電池チェッカーの実施の一形態を使用状態で示した正面図である。
【図２】本考案の電池チェッカーの他の使用状態を示した正面図である。
【図３】本考案の電池チェッカーの別の使用状態を示した正面図である。
【図４】切換スイッチを拡大して示した斜視図である。
【図５】電池残量表示構造としてのライトを示した簡略図であり、（ａ）は、２個点灯状態を示し、（ｂ）は、１個点灯状態を示し、（ｃ）は、消灯状態を示した図である。
【図６】乾電池及び充電池の放電特性の一例を示したグラフ図であり、横軸は時間を示し、縦軸は電圧を示している。
【図７】本考案の電池チェッカーの電気回路の一例を示した説明用回路図である。
【考案を実施するための形態】
【００１０】
以下、実施の形態を示す図面に基づき本考案を詳説する。
図１は、単２形の電池Ｂの測定状態を示す図であり、図２は、単３形の電池Ｂの測定状態を示す図であり、図３は、単４形の電池Ｂの測定状態を示す図である。
図１〜図３に示すように、本考案の電池チェッカーは、単２形、単３形、単４形の３種類の規格の電池Ｂに対応可能であって、２個の電池残量表示用ライト６，６と、被測定用の電池Ｂを嵌め込んでプラス・マイナスの電極に接触可能な陽極受３・陰極受４と、乾電池充電池切換スイッチ５とを、付設したチェッカー箱体１を備えている。
チェッカー箱体１は、略倒立コ字状であって、その一側縁を切欠いて電池嵌込部２を形成している。電池嵌込部２は、その上部２Ａに沿って陽極受３を付設し、かつ、下部２Ｂに、弯曲板バネから成る陰極受４を付設している。
【００１１】
電池嵌込部２の上部２Ａは、段付部１２によって、単２形及び単３形の電池Ｂに嵌合する浅段部２１と、単４形の電池Ｂが嵌合する深段部２２とに、区画形成されている。陽極受３は、薄い導電性金属帯板であって、対応する全ての規格に於て、電池Ｂのプラス電極に接触するように、浅段部２１及び深段部２２を覆うように配設されている。
陰極受４は、電池Ｂのマイナス電極に接触すると共に、電池Ｂの長さ寸法の変動に対応して弾性変形し、弾発力をもって電池Ｂを陽極受３に押し付けて電池嵌込部２内に保持している。
図４に示すように、切換スイッチ５は、チェッカー箱体１の他側縁に配設されており、乾電池Ｂ１及び充電池Ｂ２の２種類の電池残量測定に応じて、２つのモードに切換自在である。切換スイッチ５の近傍には、乾電池／充電池確認用マークＭが表示されている。
【００１２】
図５と図６に示すように、ライト６，６による電池残量表示構造として、電池Ｂの検出電圧Ｅに応じてライト６，６が２個点灯又は１個点灯又は消灯となって、電池残量を３段階で視覚的に表示するように構成している。
ライト６，６は、２個を上下に並べて配設されており、好ましくは、ＬＥＤ（ライト）を用いるのが良い。ＬＥＤを用いることにより、被測定電池Ｂが僅かな残量でも点灯可能であり、しかも、軽量かつコンパクトである利点がある。なお、２個のライト６，６は、同色に点灯するものに限定されるものでなく、互いに異なる色に点灯するも良い。例えば、一方が緑色に点灯し、他方が黄色に点灯するも好ましい。
【００１３】
図６は、乾電池Ｂ１及び充電池Ｂ２の放電特性を示したグラフ図であって、乾電池Ｂ１の放電特性曲線を図中実線で示し、充電池Ｂ２の放電特性曲線を図中破線にて示している。
乾電池Ｂ１は、真新しい状態での初期検出電圧Ｅ１が、例えば１.５Ｖ程度に設定されているとして、時間ｔが経過するに伴って、なだらかな勾配にて検出電圧Ｅが低下し続けてている。一方、充電池Ｂ２は、満充電状態での初期検出電圧Ｅ２が、乾電池Ｂ１の初期検出電圧Ｅ１よりも低く設定されていることが多く、例えば１.３Ｖ〜１．２Ｖに設定されている。充電池Ｂ２は、放電開始後に検出電圧Ｅが急に低下した後、所定の電圧（以下、放電維持電圧と呼ぶ）を比較的長い一定時間にわたって持続し、その後、急激に検出電圧Ｅが低下するという特性を示している。
乾電池Ｂ１の電池残量測定に於て、乾電池Ｂ１の初期検出電圧Ｅ１（例えば１.５Ｖ）から中間検出電圧Ｅ３（例えば１．３Ｖ〜１．２Ｖ）以上であれば「残量十分」としてライト６，６を２個点灯し（図５（ａ）参照）、中間検出電圧Ｅ３より低く終末検出電圧Ｅ５（例えば１．０Ｖ〜０．９Ｖ）以上であれば「残量少」としてライト６，６の内いずれか１個を点灯し（図５（ｂ）参照）、終末検出電圧Ｅ５より低くなれば「残量無」としてライト６，６を消灯（図５（ｃ）参照）するように構成している。
【００１４】
充電池Ｂ２の電池残量測定に於て、充電池Ｂ２の初期検出電圧Ｅ２（例えば１.３Ｖ〜１．２Ｖ）から中間検出電圧Ｅ４（例えば１．１Ｖ〜１．０Ｖ）以上であれば「残量十分」としてライト６，６を２個点灯し（図５（ａ）参照）、中間検出電圧Ｅ４より低く終末検出電圧Ｅ５（例えば１．０Ｖ〜０．９Ｖ）以上であれば「残量少」としてライト６，６の内いずれか１個を点灯し（図５（ｂ）参照）、終末検出電圧Ｅ５より低くなれば「残量無」としてライト６，６を消灯（図５（ｃ）参照）するように構成している。
乾電池Ｂ１の初期検出電圧Ｅ１から中間検出電圧Ｅ３までを２個点灯電圧帯域Ａ１とし、充電池Ｂ２の初期検出電圧Ｅ２から中間検出電圧Ｅ４までの２個点灯電圧帯域Ａ２とすると、乾電池Ｂ１の２個点灯電圧帯域Ａ１に比較して、充電池Ｂ２の２個点灯電圧帯域Ａ２が狭い範囲に設定されており、しかも、充電池Ｂ２の２個点灯電圧帯域Ａ２が、（一定時間にわたって持続する）放電維持電圧を包含するように設定されている。つまり、充電池Ｂ２の電池残量を適正に表示することを勘案し、検出電圧Ｅが放電維持電圧を保持している間は、「残量十分」として電池残量を表示するように構成している。
【００１５】
図７は、本考案の電池チェッカーの一配線例を示した電気回路図であって、本考案の電池チェッカーは、乾電池Ｂ１の２個点灯と１個点灯との表示切換設定電圧Ｖ１を、充電池Ｂ２の２個点灯と１個点灯との表示切換設定電圧Ｖ２よりも高電圧に設定している。そして、切換スイッチ５の操作によって、表示切換設定電圧Ｖ１，Ｖ２のいずれか一方に切換可能として構成している。
図６と併せて説明すると、回路図中の切換スイッチ５を開状態とすると、本考案の電池チェッカーの電気回路が乾電池残量測定モードとなって、ライト６，６の２個点灯と１個点灯との表示切換設定電圧Ｖ１が、乾電池Ｂ１の中間検出電圧Ｅ３（例えば１．３Ｖ〜１．２Ｖ）に設定されるように構成している。そして、図４のように切換スイッチ５を操作し、回路図中の切換スイッチ５を閉じる（図示省略）と、電気回路が充電池残量測定モードに切換えられて、ライト６，６の２個点灯と１個点灯との表示切換設定電圧Ｖ２が、乾電池Ｂ１の中間検出電圧Ｅ３よりも低い充電池Ｂ２の中間検出電圧Ｅ４（例えば１．１Ｖ〜１．０Ｖ）に設定変更されるのである。
【００１６】
以上のように、本考案に係る電池チェッカーは、２個の電池残量表示用ライト６，６と、被測定用の電池Ｂを嵌め込んでプラス・マイナスの電極に接触可能な陽極受３・陰極受４と、乾電池充電池切換スイッチ５とを、付設したチェッカー箱体１を備え、ライト６，６による電池残量表示構造として、電池Ｂの検出電圧Ｅに応じてライト６，６が２個点灯又は１個点灯又は消灯となって、電池残量を３段階で視覚的に表示するように構成し、さらに、乾電池Ｂ１の２個点灯と１個点灯との表示切換設定電圧Ｖ１を、充電池Ｂ２の２個点灯と１個点灯との表示切換設定電圧Ｖ２よりも高電圧に設定し、切換スイッチ５の操作によって、表示切換設定電圧Ｖ１，Ｖ２のいずれか一方に切換可能としたので、切換スイッチ５の簡単な操作を行なうのみで、乾電池Ｂ１と充電池Ｂ２のどちらの電池残量の測定にも対応できる。よって、乾電池Ｂ１及び充電池Ｂ２の電池残量の測定に、装置を共用でき、便利であると共に、コストを低減できる。
【符号の説明】
【００１７】
１  チェッカー箱体
３  陽極受
４  陰極受
５  切換スイッチ
６  ライト
Ｂ  電池
Ｂ１  乾電池
Ｂ２  充電池
Ｅ  検出電圧
Ｖ１，Ｖ２  表示切換設定電圧
【図１】
0003166875.tif 000003
【図２】
0003166875.tif 000004
【図３】
0003166875.tif 000005
【図４】
0003166875.tif 000006
【図５】
0003166875.tif 000007
【図６】
0003166875.tif 000008
【図７】
0003166875.tif 000009